(57)【要約】【課題】  信号発振器やＴＶを線路機器側に運搬する必要がなく、高価なスペクトラムアナライザーが不要であり、下りチャンネルを使用する必要もなく、マニュアル操作の必要がなく自動調整可能とする。【解決手段】  線路に挿入された線路機器に設けられた信号発振器から周波数の異なる２以上の信号を出力してヘッドエンドに送るステップと、ヘッドエンドにおいて前記２以上の信号を受信して夫々のレベルを測定するステップと、測定レベルとレベル調整規格値との差分値を検出するステップと、その差分値を前記線路機器に送るステップと、線路機器に設けた上り回線調整回路を線路機器で受信した前記差分値に基づいて自動調整するステップを備え、前記レベル測定、差分値の算出、線路機器への差分値の伝送、その差分値に基づく上り回線調整回路の自動調整を、線路機器から送る信号のレベルや周波数特性が規格値に入るまで繰返し行う。【選択図】  図１
2012109847.tif 000002
【特許請求の範囲】
【請求項１】
双方向ＣＡＴＶシステムの上り回線のレベル及び周波数特性を自動調整する方法において、
線路に挿入された線路機器に設けられた信号発振器から周波数の異なる２以上の信号を出力してヘッドエンドに送るステップと、ヘッドエンドにおいて前記２以上の信号を受信して夫々のレベルを測定するステップと、測定レベルとレベル調整規格値との差分値を検出するステップと、その差分値を前記線路機器に送るステップと、線路機器に設けた上り回線調整回路を線路機器で受信した前記差分値に基づいて自動調整するステップを備え、前記レベル測定、差分値の算出、線路機器への差分値の伝送、その差分値に基づく上り回線調整回路の自動調整を、線路機器から送る信号のレベルや周波数特性が規格値に入るまで繰返し行うことを特徴とする双方向ＣＡＴＶシステムの上り回線のレベル及び周波数特性自動調整方法。
【請求項２】
請求項１記載の双方向ＣＡＴＶシステムの上り回線のレベル及び周波数特性自動調整方法において、
双方向ＣＡＴＶシステムがＨＦＣ方式であり、周波数の異なる２以上の信号を同軸ケーブルを通して光ノードに送るステップと、その信号を光ノードでＥ／Ｏ変換するステップと、Ｅ／Ｏ変換した光信号を光伝送路を通してヘッドエンドに送るステップと、受光した光信号をヘッドエンドでＯ／Ｅ変換するステップと、Ｏ／Ｅ変換した２以上の信号の夫々をヘッドエンドでレベル測定するステップを備えたことを特徴とする双方向ＣＡＴＶシステムの上り回線のレベル及び周波数特性自動調整方法。
【請求項３】
請求項１又は請求項２記載の双方向ＣＡＴＶシステムの上り回線のレベル及び周波数特性自動調整方法において、
ヘッドエンドから線路機器に送る差分値を線路上の全ての線路機器に対するグローバルアドレスで送出し、上り回線を通してヘッドエンドに伝送される信号のレベルや周波数特性を自動調整してから、ヘッドエンドから線路機器にアドレスを要求するステップと、線路機器が前記アドレス要求により線路機器のアドレスをヘッドエンドに応答するステップと、ヘッドエンドが線路機器のアドレス判明後にその線路機器に信号発振器からの信号出力停止命令を送るステップと、その信号出力停止命令を受信した線路機器が前記信号出力を停止するステップを備えたことを特徴とする双方向ＣＡＴＶシステムの上り回線のレベル及び周波数特性自動調整方法。
【請求項４】
双方向ＣＡＴＶシステムの上り回線のレベル及び周波数特性を自動調整する装置において、
ヘッドエンドと上り回線に挿入された線路機器を備え、ヘッドエンドは少なくともレベル測定器とコンピュータとＲＦモデムを備え、線路機器は少なくとも、周波数の異なる２以上の周波数の信号を出力可能な信号発振器とマイコンとＲＦモデムと上り回線調整回路を備え、前記レベル測定器は前記信号発振器から発振されて上り回線に出力される前記２以上の信号の夫々のレベルを測定してその測定レベルをヘッドエンドの前記コンピュータに伝送可能であるか、又は測定レベルとレベル調整規格値との差分値を求めてその差分値を前記コンピュータに伝送可能であり、前記コンピュータはレベル測定器から出力される測定レベルとレベル調整規格値との差分値を求めてその差分値をヘッドエンドのＲＦモデムを通して線路機器に送ることができるか、又はレベル測定器から出力される差分値を前記ＲＦモデムを通して線路機器に送ることができ、線路機器の前記マイコンは受信した差分値に基づいて線路機器の前記上り回線調整回路を、上り回線を通してヘッドエンドに送られる信号レベル及び周波数特性が規格値に入るまで自動調整可能であることを特徴とする双方向ＣＡＴＶシステムの上り回線のレベル及び周波数特性自動調整装置。
【請求項５】
請求項４記載の双方向ＣＡＴＶシステムの上り回線のレベル及び周波数特性自動調整装置において、
双方向ＣＡＴＶシステムがＨＦＣ方式であり、ＨＦＣ方式の光ノードが上り信号を電気／光変換するＥ／Ｏ変換器と、下り信号を光／電気変換するＯ／Ｅ変換器を備え、ヘッドエンドが上り信号を光／電気変換するＯ／Ｅ変換器と、下り信号を電気／光変換するＥ／Ｏ変換器を備えたことを特徴とする双方向ＣＡＴＶシステムの上り回線のレベル及び周波数特性自動調整装置。
【請求項６】
請求項４又は請求項５記載の双方向ＣＡＴＶシステムの上り回線のレベル及び周波数特性自動調整装置において、
上り回線調整回路がマイコンで自動調整可能な減衰器、等価器、利得調整回路、スロープ回路のいずれか一つ又は二以上であることを特徴とする双方向ＣＡＴＶシステムの上り回線のレベル及び周波数特性自動調整装置。
【発明の詳細な説明】
【技術分野】
【０００１】
本願発明は、双方向ＣＡＴＶシステム、特にＨＦＣ（Hybrid fiber-coaxial）システムの上り回線のレベルと周波数特性を自動調整する方法と装置に関するものである。
【背景技術】
【０００２】
双方向ＣＡＴＶシステムでは、敷設された同軸ケーブルの長さ、ＣＡＴＶ線路に挿入された線路機器（例えば分岐・分配器等）の使用数や分配数等により生じる周波数毎のロスが異なるため、線路機器から上り回線を使用してセンター（ヘッドエンド）に送られる上り信号のレベルや周波数特性（図６（ａ）〜（ｄ）に示すスロープ：低い周波数Ｆ１と高い周波数Ｆ２のレベルの傾き：周波数特性）が異なる。
【０００３】
ＣＡＴＶ線路には不特定長の同軸ケーブルと、不特定数の分岐・分配器が使用されるが、いずれの場合もセンターに到着するレベルは一定に保つ必要がある。このため、ＣＡＴＶ線路や線路機器の新設時、増設時、改修時、変更時等には、上り回線を使用してヘッドエンドに送られる上り信号が所定の（設計された）レベル、周波数特性になるように調整する必要がある。
【０００４】
一例として、従来の、上り回線のレベルと周波数特性（前記スロープ）の調整方法を図４のシステムに基づいて説明する。図４のシステムは線路（同軸ケーブル）Ａに接続される分岐・分配器等の線路機器Ｂに、上り帯域の周波数であって異なる２波以上の信号を発振できる信号発振器ＳＧを接続し、信号発振器ＳＧから発振される２波以上の信号を、線路機器Ｂを通して上り回線に送出する。ここで、２波以上の信号を発振できるＳＧを使用するのは、線路に使用される同軸ケーブルＡ、線路に接続される線路機器Ｂにより生じる周波数毎のロスが、同軸ケーブルＡの長さや線路機器Ｂの使用数、分配数等により異なるため、低い周波数Ｆ１と高い周波数Ｆ２の信号を端末側から挿入してセンター（ヘッドエンド）に到達するレベルを確認するためである。
【０００５】
信号発振器ＳＧから発振された周波数の異なる２つの信号は、図５の線路機器Ｂ内の増幅器Ｄ１、上り調整回路Ｅ１に入力される。それらから出力された信号は同軸ケーブルＡと線路機器Ｂにて構成されるＣＡＴＶ線路Ｃ（図４）を通って光ノードＦに入力される。
【０００６】
光ノードＦに入力された電気信号は光ノードＦにおいて光信号に変換されて出力され、その光信号は上り光伝送路Ｇ１を通り、ヘッドエンドＨＥの「Ｏ／Ｅ」にて電気信号に戻されて、スペクトラムアナライザーＨに入力される。スペクトラムアナライザーＨは図６（ａ）〜（ｄ）の様な波形にて両信号の絶対レベルとレベル差を確認することができる。スペクトラムアナライザーＨは図６（ａ）〜（ｄ）の様な波形画面をビデオ信号で出力する。このビデオ信号はテレビ変調器Ｉで下りの空きチャンネルに変調され、ヘッドエンドＨＥの「Ｅ／Ｏ」にて光信号に変換されて下り光伝送路Ｇ２に送出される。この光信号は、光ノードＦで電気信号に変換されてからＣＡＴＶ線路Ｃに出力される。線路機器Ｂ側では前記テレビ信号をテレビ受信機ＴＶで受信し、ＴＶの画面を見て、ヘッドエンドＨＥに到着する信号のレベルを確認しながら、線路機器Ｂに装備されている上り調整回路Ｅ１、例えば、プラグイン方式のＡＴＴ（減衰器）やイコライザー、利得調整回路（ＧＣ回路：Gain Control回路）やスロープ回路等を手動操作して、上り回線を伝送される上り信号のレベルや周波数特性を調整する。
【０００７】
周波数特性が傾いているプラグイン方式のイコライザー及びスロープ回路の場合は、図６（ａ）の入力に対して図６（ｄ）のように周波数Ｆ２のレベルが殆ど同じまま、Ｆ１のレベルのみが下がる。
【０００８】
ＣＡＴＶ線路Ｃが周波数毎にロスが異なる同軸ケーブルＡの場合は、図６（ａ）の入力に対して図６（ｃ）の様に周波数Ｆ１に比べてＦ２のロスが大きくなる。
【０００９】
レベル調整で使用するプラグイン方式のＡＴＴ及び利得調整回路は、周波数Ｆ１、Ｆ２共に同じだけレベルが変化して、図６（ａ）の入力に対して図６（ｂ）のように周波数Ｆ１、Ｆ２のレベルが共に同等に下がる。
【００１０】
レベル調整で使用するプラグインイコライザー及びスロープ回路により、周波数Ｆ２のレベルをあまり変化させずに、周波数Ｆ１のレベルだけを変化させると、図６（ａ）の入力が図６（ｄ）の出力になる。図６（ｄ）が入力で図６（ａ）が出力となる場合もある。
【００１１】
双方向ＣＡＴＶシステムにおける上りＴＶ変調信号の自動レベル調整方法として、特許文献１があるが、それはインカム（通話機）を利用して、センターとＴＶ変調器間で通話しながら調整する方法であり、本願発明とは調整方法が異なる。
【先行技術文献】
【特許文献】
【００１２】
【特許文献１】特開平７−２２２１３６号
【発明の概要】
【発明が解決しようとする課題】
【００１３】
図４のシステムを使用した上り信号調整方法は次のような難点があった。
１．上り線路調整時に、上り帯域の異なる周波数の２波以上を発振可能なＳＧを、線路機器側に運搬する必要があるため運搬作業が大変である。
２．ビデオ出力のある高価なスペクトラムアナライザーが必要である。
３．周波数帯域に限りある下りチャンネルを使用するため、下りチャンネルに空きがない場合は使用できない。
４．マニュアル調整であるため、調整作業が面倒であり、調整者によってバラツキが出る。
５．デジタル放送に移行後は、高価なデジタル変調器が必要になる。
【００１４】
前記特許文献１は、通話器を利用するものであるため、通話可能区間でしか使用できない。
【００１５】
本願発明は、信号発振器やテレビを線路機器側に運搬する必要がなく、高価なスペクトラムアナライザーが不要であり、下りチャンネルを使用する必要もなく、マニュアル操作の必要がなく自動調整可能であり、ＣＡＴＶシステムの上り回線のレベル及び周波数特性を自動調整可能とすることにある。
【課題を解決するための手段】
【００１６】
本願発明の双方向ＣＡＴＶシステムの上り回線のレベル及び周波数特性自動調整方法は、線路に挿入された線路機器に設けられた信号発振器から周波数の異なる２以上の信号を出力してヘッドエンドに送るステップと、ヘッドエンドにおいて前記２以上の信号を受信して夫々のレベルを測定するステップと、測定レベルとレベル調整規格値との差分値を検出するステップと、その差分値を前記線路機器に送るステップと、線路機器に設けた上り回線調整回路を線路機器で受信した前記差分値に基づいて自動調整するステップを備え、前記レベル測定、差分値の算出、線路機器への差分値の伝送、その差分値に基づく上り回線調整回路の自動調整を、線路機器から送る信号のレベルや周波数特性が規格値に入るまで繰返し行う自動調整方法である。
【００１７】
本願発明の双方向ＣＡＴＶシステムの上り回線のレベル及び周波数特性自動調整方法は、前記双方向ＣＡＴＶシステムの上り回線のレベル及び周波数特性自動調整方法において、双方向ＣＡＴＶシステムがＨＦＣ方式であり、周波数の異なる２以上の信号を同軸ケーブルを通して光ノードに送るステップと、その信号を光ノードでＥ／Ｏ変換するステップと、Ｅ／Ｏ変換した光信号を光伝送路を通してヘッドエンドに送るステップと、受光した光信号をヘッドエンドでＯ／Ｅ変換するステップと、Ｏ／Ｅ変換した２以上の信号の夫々をヘッドエンドでレベル測定するステップを備えた自動調整方法である。
【００１８】
本願発明の双方向ＣＡＴＶシステムの上り回線のレベル及び周波数特性自動調整方法は、前記双方向ＣＡＴＶシステムの上り回線のレベル及び周波数特性自動調整方法において、ヘッドエンドから線路機器に送る差分値を線路上の全ての線路機器に対するグローバルアドレスで送出し、上り回線を通してヘッドエンドに伝送される信号のレベルや周波数特性を自動調整してから（規格値に入るまで調整してから（調整終了後）又は調整中（調整終了前））、ヘッドエンドから線路機器にアドレスを要求するステップと、線路機器が前記アドレス要求により線路機器のアドレスをヘッドエンドに応答するステップと、ヘッドエンドが線路機器のアドレス判明後にその線路機器に信号発振器からの信号出力停止命令を送るステップと、その信号出力停止命令を受信した線路機器が前記信号出力を停止するステップを備えた自動調整方法である。
【００１９】
本願発明の双方向ＣＡＴＶシステムの上り回線のレベル及び周波数特性自動調整装置は、ヘッドエンドと上り回線に挿入された線路機器を備え、ヘッドエンドは少なくともレベル測定器とコンピュータとＲＦモデムを備え、線路機器は少なくとも、周波数の異なる２以上の周波数の信号を出力可能な信号発振器とマイコンとＲＦモデムと上り回線調整回路を備え、前記レベル測定器は前記信号発振器から発振されて上り回線に出力される前記２以上の信号の夫々のレベルを測定してその測定レベルをヘッドエンドの前記コンピュータに伝送可能であるか、又は測定レベルとレベル調整規格値との差分値を求めてその差分値を前記コンピュータに伝送可能であり、前記コンピュータはレベル測定器から出力される測定レベルとレベル調整規格値との差分値を求めてその差分値をヘッドエンドのＲＦモデムを通して線路機器に送ることができるか、又はレベル測定器から出力される差分値を前記ＲＦモデムを通して線路機器に送ることができ、線路機器の前記マイコンは受信した差分値に基づいて線路機器の前記上り回線調整回路を、上り回線を通してヘッドエンドに送られる信号レベル及び周波数特性が規格値に入るまで自動調整可能な自動調整装置である。
【００２０】
本願発明の双方向ＣＡＴＶシステムの上り回線のレベル及び周波数特性自動調整装置は、前記双方向ＣＡＴＶシステムの上り回線のレベル及び周波数特性自動調整装置において、双方向ＣＡＴＶシステムがＨＦＣ方式であり、ＨＦＣ方式の光ノードが上り信号を電気／光変換するＥ／Ｏ変換器と、下り信号を光／電気変換するＯ／Ｅ変換器を備え、ヘッドエンドが上り信号を光／電気変換するＯ／Ｅ変換器と、下り信号を電気／光変換するＥ／Ｏ変換器を備えた自動調整装置である。
【００２１】
本願発明の双方向ＣＡＴＶシステムの上り回線のレベル及び周波数特性自動調整装置は、前記双方向ＣＡＴＶシステムの上り回線のレベル及び周波数特性自動調整装置において、上り回線調整回路がマイコンで自動調整可能な減衰器、等価器、利得調整回路、スロープ回路のいずれか一つ又は二以上である自動調整装置である。
【発明の効果】
【００２２】
本願発明の双方向ＣＡＴＶシステムの上り回線のレベル及び周波数特性自動調整方法は、線路機器にて自動調整開始の操作を行うと，線路機器内のマイコンからの指示によりＳＧ出力のオンから、線路機器から送る信号のレベルや周波数特性が規格値に入るまで、上り回線調整回路の調整が繰返し自動的に行われるので、マニュアル操作が殆ど必要なく、調整作業が容易である。
【００２３】
本願発明の双方向ＣＡＴＶシステムの上り回線のレベル及び周波数特性自動調整装置は、線路機器に周波数の異なる２以上の信号を出力可能な信号発振器、コンピュータ、ＲＦモデム、上り回線調整回路が装備されているので、次のような効果がある。
１．上り線路調整時に、周波数の異なる２以上の信号を発振可能な信号発振器及びＴＶを線路機器側に運搬する必要がない。
２．ビデオ出力のある高価なスペクトラムアナライザーが不要である。
３．周波数帯域に限りある下りチャンネルを使用しないため、線路機器への信号伝送が空きチャンネルの制約を受けない。
４．マニュアル操作が殆ど必要ないため、調整作業が容易である。
【図面の簡単な説明】
【００２４】
【図１】本願発明の上り回線のレベル及び周波数特性自動調整装置の一例を示すブロック図。
【図２】図１のブロック図における線路機器の一例を示すブロック図。
【図３】図１のブロック図におけるレベル測定器の一例を示すブロック図。
【図４】従来の上り回線のレベル及び周波数特性自動調整装置の一例を示すブロック図。
【図５】図４のブロック図における線路機器の一例を示すブロック図。
【図６】（ａ）〜（ｄ）は上り信号のレベルの各種例の説明図。
【発明を実施するための形態】
【００２５】
（実施形態１）
本願発明の双方向ＣＡＴＶシステムにおける上り回線のレベル及び周波数特性自動調整方法及びその装置の実施形態の一例を以下に説明する。本願発明の自動調整方法及びその装置はＨＦＣ方式以外のものであってもよいが、図１に示した双方向ＣＡＴＶシステムはＨＦＣ方式であり、センター（ヘッドエンド）１と光ノード２の間が光線路３で結ばれ、光ノード２と線路機器４の間が同軸ケーブル５で結ばれている。
【００２６】
前記線路機器４にはマイコン（ＣＰＵ）６、ＲＦモデム７、信号発振器（ＳＧ）８、自動調整回路９が搭載（内蔵）され、ヘッドエンド１にはレベル測定器１０、コンピュータ（パソコン）１１、ＲＦモデム１２が設置されている。
【００２７】
前記線路機器４におけるＲＦモデム７はヘッドエンド１と通信を行うための変・復調器、信号発振器（ＳＧ）８は周波数の異なる２以上の信号を発振可能なもの、自動調整回路９は信号発振器（ＳＧ）８から発振される信号の周波数、レベル等を調整可能なもの、マイコン６はＲＦモデム７、信号発振器（ＳＧ）８、自動調整回路９を制御可能なものである。
【００２８】
前記線路機器４の構成の一例を図２に示す。図２の線路機器４は下り入力・上り出力端子１３と上り入力・下り出力端子１４との間に上り回線１５と下り回線１６があり、上り回線１５にローパスフィルタ（ＬＰＦ１）−分岐・分配器１７−上り信号増幅器１８−上り調整回路９−ローパスフィルタ（ＬＰＦ２）が挿入され、下り回線１６にハイパスフィルタ（ＨＰＦ１）−下り調整回路１９−下り信号増幅器２０−分岐・分配器２１−ハイパスフィルタ（ＨＰＦ２）が挿入されている。前記上り回線１５に挿入された分岐・分配器１７で分岐された信号は分岐・分配器２２で分岐され、分岐された信号の一部がＲＦモデム７に、他の一部が信号発振器（ＳＧ）８に入力され、信号発振器（ＳＧ）８から発振される信号がマイコン６で制御されるようにしてある。
【００２９】
図１、図２の上り調整回路９には減衰器、利得調整回路、等価器、スロープ回路等のいずれか一つ又は二以上が使用され、減衰器の場合は減衰量が、利得調整回路の場合は増幅器の利得が、等価器の場合は等価量が、スロープ回路の場合は上り回線１５を伝送される２以上の信号のレベルがマイコン６で電気的に自動的に調整されて、信号レベル、周波数特性（Ｆ１、Ｆ２の傾き）が調整されるようにしてある。
【００３０】
前記ヘッドエンド１におけるＲＦモデム１２は線路機器４と通信を行うための変・復調器、コンピュ−タ１１はレベル測定器１０及びＲＦモデム１２を制御可能なものである。
【００３１】
前記レベル測定器１０の構成の一例を図３に示す。このレベル測定器１０は、上り入力端２５とマイコン２６との間に、線路機器４からの信号（Ｆ１）が通過可能なバンドパスフィルタ（ＢＰＦ１）−信号Ｆ１用の信号増幅器２７−局部信号発振器２８−周波数変換用のミキサー２９−変換後周波数が通過可能なバンドパスフィルタ（ＢＰＦ３）−変換後信号増幅器３０−検波器３１が挿入された信号伝送路（Ｆ１用）３２と、線路機器４からの信号（Ｆ２）が通過可能なバンドパスフィルタ（ＢＰＦ２）−信号Ｆ２用の信号増幅器３３−局部信号発振器３４−周波数変換用のミキサー３５−変換後周波数が通過可能なバンドパスフィルタ（ＢＰＦ４）−変換後信号増幅器３６−検波器３７が挿入された信号伝送路（Ｆ２用）３８が並列に配置されている。前記局部信号発振器２８、周波数変換用のミキサー２９は、ＩＦ処理用であり、上り入力端２５から入力される信号の周波数（Ｆ１、Ｆ２）を、汎用のバンドパスフィルタ（ＢＰＦ３）で通過し易い狭帯域の周波数に変換するためのものである。このレベル測定器１０では、線路機器４の信号発振器（ＳＧ）８から送られる周波数の異なる２以上の信号のレベルを測定し、受信したレベルと基準値とを比較して、差分値を求めて、差分値をコンピュータに出力可能なものである。レベル測定器１０はレベルを測定するが、差分値は求めずに、そのレベルをコンピュータ１１に出力し、差分値はコンピュータ１１で求めることもできる。
【００３２】
図２の構成の線路機器４が線路に挿入され、図３の構成のレベル測定器１０がヘッドエンド１に装備されたＣＡＴＶシステムの上り回線のレベル及び周波数特性を自動調整する場合の一例を以下に示す。
（１）線路機器４にて自動調整開始の操作を行うと、線路機器４内のマイコン６からの指示によりＳＧ８の出力がオンする。
（２）線路機器４のＳＧ８から発振された周波数の異なる二以上の信号は、図２の線路機器４内の分岐・分配器１７を通して信号増幅器１８、上り調整回路９に入力される。入力された信号はローパスフィルタ（ＬＰＦ２）を通過して同軸ケーブル５と分岐・分配器等にて構成されるＣＡＴＶ線路を通って光ノード２（図１）に入力される。
（３）光ノード２に入力された電気信号は光信号に変換されて出力される。その光信号は光線路３を通り、ヘッドエンド１の光・電器変換器Ｏ／Ｅにて電気信号に変換される。
（４）前記周波数の異なる２以上の電気信号はヘッドエンド１のレベル測定器１０で受信されてレベル測定器１０でレベル測定される。レベル測定器１０は前記２以上の信号の着信と、各々の信号の測定レベルとレベル調整規格値との差分値を求め、その差分値をヘッドエンド１のコンピュ−タ１１に出力する。この場合、差分値を求めずに、測定レベルそのものをコンピュ−タ１１に出力することもできる。
（５）ヘッドエンド１のコンピュ−タ１１は、レベル測定器１０から読み込んだ差分値を、ＲＦモデム１２を通して線路機器４に送る。この場合、コンピュ−タ１１において、レベル測定器１０での測定レベルとレベル調整規格値との差分値を求め、その差分値を、ＲＦモデム１２を通して線路機器４に送ることもできる。
（６）前記差分値を線路機器４に送るとき、ＣＡＴＶ線路上のどの線路機器４が上り信号を出力したか不明であるため、ＣＡＴＶ線路上の全ての線路機器４に対するグローバルアドレスで送出する。
（７）線路機器４はＲＦモデム１２から受信した差分値に基づいて、線路機器４の上り調整回路９（図２）の減衰量、利得、等価量、スロープ等を自動的に調整して、上り回線を伝送される信号のレベルや周波数特性を調整する。
（８）ヘッドエンド１に到着する信号のレベル及び周波数特性が規格値に入るまで前記（２）〜（７）の操作を自動的に繰返し行って上り回線の自動調整を終了する。
（９）前記自動調整が完了したら、ヘッドエンド１のコンピュ−タ１１は線路機器４にアドレスの要求を出力する。
（１０）線路機器４のマイコン６（図１、図２）は前記アドレス要求に応じて、対象線路機器が初めてヘッドエンド１にアドレスを応答する。
（１１）ヘッドエンド１のコンピュ−タ１１は線路機器４のアドレス判明後、その線路機器４にＳＧ８からの上り信号の出力停止命令を送る。
（１２）線路機器４側のマイコン６は前記出力停止命令の受信によりＳＧ８の出力を停止する。
【００３３】
前記（９）では、自動調整完了後にアドレス要求を出力するようにしてあるが、本願発明におけるアドレス要求の出力は自動調整完了後ではなく、調整の途中（調整前）においても行うことができる。
【符号の説明】
【００３４】
１  ヘッドエンド
２  光ノード
３  光線路
４  線路機器
５  同軸ケーブル
６  線路機器のマイコン
７  ＲＦモデム
８  信号発振器（ＳＧ）
９  自動調整回路
１０  レベル測定器
１１  コンピュータ
１２  ＲＦモデム
１３  下り入力・上り出力端子
１４  上り入力・下り出力端子
１５  上り回線
１６  下り回線
１７  分岐・分配器
１８  上り信号増幅器
１９  下り調整回路
２０  下り信号増幅器
２１  分岐・分配器
２２  分岐・分配器
２５  入力端
２６  レベル測定器のマイコン
２７  上り信号増幅器
２８  局部信号発振器
２９  ミキサー
３０  周波数変換後信号増幅器
３１  検波器
３２  信号伝送路
３３  上り信号増幅器
３４  局部信号発振器
３５  ミキサー
３６  上り信号増幅器
３７  検波器
３８  信号伝送路
Ａ  線路（同軸ケーブル）
Ｂ  線路機器
Ｃ  ＣＡＴＶ線路
Ｄ１、Ｄ２  増幅器
Ｅ１  上り調整回路
Ｅ２  下り調整回路
Ｆ  光ノード
Ｆ１、Ｆ２  周波数
Ｇ１  上り光伝送路
Ｇ２  下り光伝送路
Ｈ  スペクトラムアナライザー
ＨＥ  ヘッドエンド
Ｉ  テレビ変調器
ＳＧ  信号発振器
ＴＶ  テレビ受信機
【図１】
2012109847.tif 000003
【図２】
2012109847.tif 000004
【図３】
2012109847.tif 000005
【図４】
2012109847.tif 000006
【図５】
2012109847.tif 000007
【図６】
2012109847.tif 000008